(57)【要約】【課題】間伐材等の木材を利用して、施工が容易で工事費が安く、生態系への影響を小さくし施行後の景観も良好に保持しながら、路肩に生える雑草の生育を防止することができる路肩の防草構造を提供すること。【解決手段】路肩１及び路肩１の近傍の法面２に生える雑草の生育を防止する路肩の防草構造において、間伐材等の木材３の複数箇所に直径方向の貫通孔４を形成して、貫通孔４に索条又は線材５を挿通することにより複数の木材３を並列に連結するとともに、索条又は線材５の端部に固定具６を配設して前記連結した木材３を固定するようもする。【選択図】  図１
2004183270.tif 000002
【特許請求の範囲】
【請求項１】
路肩に生える雑草の生育を防止する路肩の防草構造において、間伐材等の木材の複数箇所に直径方向の貫通孔を形成して、該貫通孔に索条又は線材を挿通することにより複数の木材を並列に連結するとともに、該索条又は線材の端部に固定具を配設して前記連結した木材を固定したことを特徴とする路肩の防草構造。
【発明の詳細な説明】
【０００１】
【発明の属する技術分野】
本発明は、路肩の防草構造に関し、特に、林業振興のためにその有効利用が要請されている間伐材等の木材を利用して、施工が容易で工事費が安く、生態系への影響を小さくし施行後の景観も良好に保持しながら、路肩（本明細書において、路肩及び／又は路肩近傍の法面を含めて「路肩」という。）に生える雑草の生育を防止することができる路肩の防草構造に関するものである。
【０００２】
【従来の技術】
例えば、山間部の道路沿いの路肩に雑草生えていると、タバコの投げ捨てによる火災が発生したり、見通しが悪くなって車両の運転の妨げとなり、思わぬ事故を招いたりする。
そこで、従来、路肩に防草シートを敷き詰めたり、コンクリートを吹き付けたり、あるいは、除草剤を使用することによって、路肩における雑草の繁殖を抑える試みがなされている。
【０００３】
【発明が解決しようとする課題】
しかしながら、上記従来の防草シートによる方法では、防草シートが破損し易く、破損部分から草が生え始めて徐々にその範囲が広まるという問題があり、また、コンクリートの吹き付けによる方法では、自然景観が破壊される上に施工が大がかりとなり費用も嵩むという問題を有し、さらに、除草剤を用いる方法は、除草効果も一時的なものである上、有用な動植物に有害であるなど生態系に影響を与えるという問題を有している。
【０００４】
本発明は、上記従来の防草構造が有する問題点に鑑み、森林保全、林業振興のためにその有効利用が要請されている間伐材等の木材を利用して、施工が容易で工事費が安く、生態系への影響を小さくし施行後の景観も良好に保持しながら、路肩に生える雑草の生育を防止することができる路肩の防草構造を提供することを目的とする。
【０００５】
【課題を解決するための手段】
上記目的を達成するため、本発明の路肩の防草構造は、路肩に生える雑草の生育を防止する路肩の防草構造において、間伐材等の木材の複数箇所に直径方向の貫通孔を形成して、該貫通孔に索条又は線材を挿通することにより複数の木材を並列に連結するとともに、該索条又は線材の端部に固定具を配設して前記連結した木材を固定したことを特徴とする。
【０００６】
この路肩の防草構造は、間伐材等の木材の複数箇所に直径方向の貫通孔を形成して、該貫通孔に索条又は線材を挿通することにより複数の木材を並列に連結するとともに、該索条又は線材の端部に固定具を配設して前記連結した木材を固定することから、有効利用が要請されている間伐材等の木材を利用して、施工が容易で工事費が安く、生態系への影響を小さくし施行後の景観も良好に保持しながら、路肩に生える雑草の生育を防止することができる。
【０００７】
【発明の実施の形態】
以下、本発明の路肩の防草構造の実施の形態を図面に基づいて説明する。
【０００８】
図１〜図２に、本発明の路肩の防草構造の一実施例を示す。
この路肩の防草構造は、路肩１及び／又は路肩１の近傍の法面２に生える雑草の生育を所定の幅、特に限定されるものでないが、例えば、１〜数ｍ程度の幅をもって防止するもので、間伐材等の木材３の複数箇所に直径方向の貫通孔４を形成して、該貫通孔４に索条又は線材５を挿通することにより複数の木材３を並列に連結するとともに、該索条又は線材５の端部に固定具６を配設して前記連結した木材３を固定するようにしている。
【０００９】
具体的には、例えば、所定径の間伐材３を２ｍ程度の長さに切断し、切断した間伐材３の複数箇所に、ワイヤーロープや鋼線等からなる索条又は線材５を通す直径方向の貫通孔４を穿設する。
そして、共通部分に貫通孔４を穿設した複数の間伐材３に索条又は線材５を挿通した後、該索条又は線材５を適当な寸法で切断し、その端部を環状にして適当な固定具にて固定する。
この場合、間伐材３の数量や長さや索条又は線材５の長さ等は、施工する路肩１及び法面２の形状等に応じて適宜に変更することができ、また、切断した間伐材３は、端面を面取りしたり、不燃処理や防腐処理を施すことが好ましい。
【００１０】
このように、すだれ状に連結した間伐材３は、谷側の路肩１では、ガードレール７の脚部に索条又は線材５の上端部を回してワイヤースリーブ６１等の固定具６で固定したり、ガードレール７がない場合は、路肩１のコンクリート８にフック等の固定具（図示省略）を埋設したり、アースアンカー等の固定具（図示省略）を配設して索条又は線材５の端部を固定することができる。
この場合、索条又は線材５の下端部は、環状に形成した部分をアースアンカー等の固定具６により法面２に直接固定することができる。
【００１１】
また、山側の路肩１では、図１に示すように、連結した間伐材３は、索条又は線材５の上下端部を環状に形成して、該環状部分をアースアンカー等の固定具６により法面２に直接固定することができる。
【００１２】
なお、索条又は線材５は、上下端部のほか、適宜中間位置にアースアンカー等の固定具（図示省略）を配設して索条又は線材５を固定したり、ワイヤースリーブ６１等の固定具を配設することができ、これにより、索条又は線材５が切断された場合に、木材３が索条又は線材５から離脱して、道路等に散乱することを未然に防止することができる。
【００１３】
一方、間伐材等の木材３は、路肩１及び／又は路肩１の近傍の法面２に生える雑草の生育を所定の幅、特に限定されるものでないが、例えば、１〜数ｍとなる除草区間の幅に合わせて連結長さが決定される。
この場合、間伐材等の木材３は、通常、図２（ｂ）に示すように、間を詰めて連結するが、障害物があったり、花や樹木を植えたりする場合は、図２（ｃ）に示すように、ワイヤースリーブ６１を用いて木材３同士の間に隙間をあけて連結したり、図２（ｄ）に示すように、木材３の上方に隙間をあけて連結するようにすることもできる。
【００１４】
かくして、本実施例の路肩の防草構造は、間伐材等の木材３の複数箇所に直径方向の貫通孔４を形成して、該貫通孔４に索条又は線材５を挿通することにより複数の木材３を並列に連結するとともに、該索条又は線材５の端部に固定具６を配設して前記連結した木材３を固定することから、有効利用が要請されている間伐材等の木材３を利用して、施工が容易で工事費が安く、生態系への影響を小さくし施行後の景観も良好に保持しながら、路肩１に生える雑草の生育を防止することができる。
【００１５】
以上、本発明の実施例を説明したが、本発明の路肩の防草構造は、この実施例の記載に限定されるものではなく、木材として角材を用いたり、固定具等に任意の材質、構造のものを用いる（例えば、索条又は線材５に繊維製のロープを、固定具６に木製の杭を、それぞれ使用することにより、長期間の使用によって、自然に分解するようにする。）ことができる等、その趣旨を逸脱しない範囲において適宜に変更することが可能である。
【００１６】
【発明の効果】
本発明の路肩の防草構造によれば、間伐材等の木材の複数箇所に直径方向の貫通孔を形成して、該貫通孔に索条又は線材を挿通することにより複数の木材を並列に連結するとともに、該索条又は線材の端部に固定具を配設して前記連結した木材を固定することから、有効利用が要請されている間伐材等の木材を利用して、施工が容易で工事費が安く、生態系への影響を小さくし施行後の景観も良好に保持しながら、路肩に生える雑草の生育を防止することができる。
【図面の簡単な説明】
【図１】本発明の路肩の防草構造の一実施例を示す断面図である。
【図２】同実施例の路肩の防草構造を示し、（ａ）はその正面図、（ｂ）は同断面図、（ｃ）は木材同士の間に隙間を設けた例を示す断面図、（ｄ）は木材の上方に隙間を設けた例を示す断面図である。
【符号の説明】
１    路肩
２    法面
３    木材
４    貫通孔
５    索条又は線材
６    固定具
６１  ワイヤースリーブ
７    ガードレール
８    コンクリート
【図１】
2004183270.tif 000003
【図２】
2004183270.tif 000004